(57)【特許請求の範囲】
【請求項１】
第１のアセンブリおよび第２のアセンブリを備えたファイバ・アクセス・ターミナルであって、前記第１のアセンブリが、第１の筐体および光ファイバ・アダプタを含み、前記第２のアセンブリが、第２の筐体、光スプリッタ、光ファイバ・コネクタ、および複数の光ファイバ・アダプタを含む、ファイバ・アクセス・ターミナルであって、
前記第１のアセンブリの前記光ファイバ・アダプタが、前記第１の筐体の外側に配置されており、前記第１の筐体には、光ケーブル入口および光ケーブル出口が設けられており、
前記光スプリッタが、前記第２の筐体の内側に配置されており、前記第２のアセンブリの前記光ファイバ・コネクタおよび前記複数の光ファイバ・アダプタが、前記第２の筐体の外側に配置されており、
前記光ファイバ・コネクタの第１の端部が、前記第１のアセンブリの前記光ファイバ・アダプタに取り外し可能に接続され、前記光ファイバ・コネクタの第２の端部が、前記光スプリッタの入力ポートに接続され、前記光スプリッタの各出力ポートが、前記第２のアセンブリのそれぞれ１つの光ファイバ・アダプタに接続され、
前記第１のアセンブリの光ファイバ・アダプタが第1の方向に延在し、
前記光ファイバ・コネクタが前記第1の方向に延在し、
前記第１の筐体が、案内溝と第１の斜面とを備え、
前記第２の筐体が、前記案内溝に係合するように構成された突起と第２の斜面とを備え、
前記突起が前記案内溝に係合した時、前記第１の斜面と前記第２の斜面とが、前記第１の方向に垂直な第２の方向において重なっていることを特徴とする、ファイバ・アクセス・ターミナル。
【請求項２】
前記第２のアセンブリが、複数の防塵キャップをさらに備え、前記複数の防塵キャップのそれぞれが、前記第２のアセンブリのそれぞれ１つの光ファイバ・アダプタ上に配置されていることを特徴とする、請求項１に記載のファイバ・アクセス・ターミナル。
【請求項３】
前記第１のアセンブリが、第１の結合部品をさらに備え、前記第１の筐体が、上部筐体および下部筐体を備え、
前記上部筐体および前記下部筐体が、第１の結合部品を使用して結合されていることを特徴とする、請求項１に記載のファイバ・アクセス・ターミナル。
【請求項４】
前記第１の結合部品が、複数のねじを備え、前記上部筐体および前記下部筐体が、複数の前記ねじを使用して結合されていることを特徴とする、請求項３に記載のファイバ・アクセス・ターミナル。
【請求項５】
当該ファイバ・アクセス・ターミナルが、第２の結合部品をさらに備え、
前記第１のアセンブリおよび前記第２のアセンブリが、第２の結合部品を使用して結合されていることを特徴とする、請求項３に記載のファイバ・アクセス・ターミナル。
【請求項６】
前記第２の結合部品が、複数のねじを備え、
前記第１のアセンブリおよび前記第２のアセンブリが、複数の前記ねじを使用して結合されていることを特徴とする、請求項５に記載のファイバ・アクセス・ターミナル。
【請求項７】
第１のアセンブリに１つ以上の光ファイバ・アダプタが形成され、光ファイバ・コネクタの数および光スプリッタの数が、前記第１のアセンブリの光ファイバ・アダプタの数と一致し、
光ファイバ・コネクタのそれぞれの第１の端部が、前記第１のアセンブリのそれぞれ１つの光ファイバ・アダプタに取り外し可能に接続され、光ファイバ・コネクタのそれぞれの第２の端部が、それぞれ１つの光スプリッタの入力ポートに接続されることを特徴とする、請求項１に記載のファイバ・アクセス・ターミナル。
【請求項８】
前記第１のアセンブリの前記光ファイバ・アダプタおよび前記第２のアセンブリの複数の前記光ファイバ・アダプタが、屋外の光ファイバ・アダプタであることを特徴とする、請求項１に記載のファイバ・アクセス・ターミナル。
【請求項９】
前記第１のアセンブリの前記光ファイバ・アダプタが、前記第１の筐体の底部に配置されており、
前記光ファイバ・コネクタが、前記第２の筐体の上部に配置されており、前記第２のアセンブリの複数の前記光ファイバ・アダプタが、前記第２の筐体の底部に配置されていることを特徴とする、請求項１に記載のファイバ・アクセス・ターミナル。
【発明の詳細な説明】
【技術分野】
【０００１】
本発明は、光ファイバ技術の分野に関し、特に、ファイバ・アクセス・ターミナルに関する。
【背景技術】
【０００２】
光ファイバ技術の発展に伴い、通信における光ケーブルの使用が普及している。例えば、ますます多くの数のユーザが、インターネットにアクセスするためにファイバ・ブロードバンドを使用している。ユーザは、ファイバ・アクセス・ターミナル（Fiber Access Terminal、FAT）によって屋内に光ファイバを案内し得る。
【０００３】
具体的には、FATは、筐体および光ファイバ・アダプタなどの部品を含む。筐体には、光ケーブル入口および光ケーブル出口が設けられている（通常、光ケーブルは複数の光ファイバを含む）。光ケーブル入口の光ケーブルの１つの光ファイバは、光ファイバ・コネクタを使用して光ファイバ・アダプタの一端に接続され得る（FATが複数の光ファイバ・アダプタを有するとき、各光ファイバ・アダプタの一端は光ケーブル入口の光ケーブルの１つの光ファイバに接続され得る）。光ファイバ・アダプタの他端は、光ファイバ・コネクタに接続された光ファイバ（この光ファイバはドロップファイバと呼ばれる場合ある）に接続され得、残りの別の光ファイバを含む光ケーブルは、光ケーブル出口から外に案内され得る。光ファイバ・アダプタおよび光ファイバ・コネクタは、２つの光ファイバを接続する機能を実施する。ユーザが、ファイバ・ブロードバンドに加入しようとするとき、光ファイバ・コネクタに接続される光ファイバは、光ファイバを屋内に案内するために、光ファイバ・コネクタを使用して光ファイバ・アダプタの他端に接続され得る。現在、FATに含まれる光ファイバ・アダプタの数は固定されている。具体的には、FATが光ファイバを案内することができる世帯の数が固定されている。職員は、現在ファイバ・ブロードバンドに加入している世帯の数に基づいて、適切な数の光ファイバ・アダプタを有するFATを選択し、FATを廊下の内側または別の場所に配置し得る。
【発明の概要】
【発明が解決しようとする課題】
【０００４】
本発明を実施するプロセスにおいて、本発明者は、少なくとも以下の問題が従来技術にあることを発見した。
【０００５】
FATが現在の世帯数に基づいて配置された後に、別のユーザが、ファイバ・ブロードバンドに加入するとき、元々配置されているFATの光ファイバ・アダプタが不十分になるため、通常、職員は、元々配置されているFATを取り外し、現在の世帯数に一致する数の光ファイバ・アダプタを有するFATを再配置する必要がある。作業は比較的面倒である。このため、作業効率は比較的低い。
【課題を解決するための手段】
【０００６】
作業効率を向上させるために、本発明の実施形態は、ファイバ・アクセス・ターミナルを提供する。技術的解決策は以下の通りである。
【０００７】
ファイバ・アクセス・ターミナルが提供される。ファイバ・アクセス・ターミナルは、第１のアセンブリおよび第２のアセンブリを含み得る。第１のアセンブリは、第１の筐体および光ファイバ・アダプタを含み得る。第２のアセンブリは、第２の筐体、光スプリッタ、光ファイバ・コネクタ、および複数の光ファイバ・アダプタを含み得る。第１のアセンブリの光ファイバ・アダプタは、第１の筐体の外側に配置され得、第１の筐体には、光ケーブル入口および光ケーブル出口が設けられ得る。光スプリッタは、第２の筐体の内側に配置され得、第２のアセンブリの光ファイバ・コネクタおよび複数の光ファイバ・アダプタは、第２の筐体の外側に配置される。光ファイバ・コネクタの第１の端部は、第１のアセンブリの光ファイバ・アダプタに取り外し可能に接続され、光ファイバ・コネクタの第２の端部は、光スプリッタの入力ポートに接続され、光スプリッタの各出力ポートは、第２のアセンブリの１つの光ファイバ・アダプタに接続される。
【０００８】
本発明の実施形態に示されている解決策では、ファイバ・アクセス・ターミナルは、２つのアセンブリ（具体的には、第１のアセンブリおよび第２のアセンブリ）を含み得る。第１のアセンブリの第１の筐体には、光ケーブル入口および光ケーブル出口が設けられ得る。第２のアセンブリは、第１のアセンブリに取り外し可能に接続され得る。このようにして、ファイバ・アクセス・ターミナルが現在の世帯数に基づいて配置された後に、別のユーザがファイバ・ブロードバンドに加入するとき、職員は、以前に配置されたファイバ・アクセス・ターミナルの第２のアセンブリを、より多くの光ファイバ・アダプタを含む第２のアセンブリと交換し得、職員は、第１のアセンブリを取り外す必要がなく、このため、作業効率が向上し得る。
【０００９】
可能な実施態様では、第２のアセンブリは、複数の防塵キャップをさらに含み、複数の防塵キャップのそれぞれは、第２のアセンブリの１つの光ファイバ・アダプタ上に配置される。
【００１０】
このようにして、光ファイバ・アダプタが使用されないとき、光ファイバ・アダプタは、汚れから保護され得る。
【００１１】
可能な実施態様では、第１の筐体に案内溝が設けられ、第２の筐体に突起が設けられ、案内溝は、突起に係合される。
【００１２】
このようにして、職員が、第１のアセンブリと第２のアセンブリとを接続するとき、光ファイバ・アダプタと光ファイバ・コネクタとの接続が、より正確かつ迅速に実施され得る。
【００１３】
可能な実施態様では、第１のアセンブリは、第１の結合部品をさらに含み、第１の筐体は、上部筐体および下部筐体を含む。上部筐体および下部筐体は、第１の結合部品を使用して結合され得る。
【００１４】
可能な実施態様では、第１の結合部品は、複数のねじを含み、上部筐体および下部筐体は、複数のねじを使用して結合される。
【００１５】
可能な実施態様では、ファイバ・アクセス・ターミナルは、第２の結合部品をさらに含む。第１のアセンブリおよび第２のアセンブリは、第２の結合部品を使用して結合される。
【００１６】
可能な実施態様では、第２の結合部品は、複数のねじを含む。第１のアセンブリおよび第２のアセンブリは、複数のねじを使用して結合される。
【００１７】
可能な実施態様では、第１のアセンブリの１つ以上の光ファイバ・アダプタがある。光ファイバ・コネクタの数および光スプリッタの数は、第１のアセンブリの光ファイバ・アダプタの数と一致する。各光ファイバ・コネクタの第１の端部は、第１のアセンブリの１つの光ファイバ・アダプタに取り外し可能に接続され、各光ファイバ・コネクタの第２の端部は、１つの光スプリッタの入力ポートに接続される。
【００１８】
可能な実施態様では、第１のアセンブリの光ファイバ・アダプタおよび第２のアセンブリの複数の光ファイバ・アダプタは、屋外の光ファイバ・アダプタである。
【００１９】
可能な実施態様では、第１のアセンブリの光ファイバ・アダプタは、第１の筐体の底部に配置され、光ファイバ・コネクタは、第２の筐体の上部に配置され、第２のアセンブリの複数の光ファイバ・アダプタは、第２の筐体の底部に配置される。
【００２０】
このようにして、使用できるようにされた後、ファイバ・アクセス・ターミナルは、より良好な耐水性のものになり得、その結果、ファイバ・アクセス・ターミナルの耐用時間が延長され得る。
【００２１】
本発明の実施形態で提供される技術的解決策の有益な効果は以下の通りである。
【００２２】
本発明の実施形態では、ファイバ・アクセス・ターミナルは、第１のアセンブリおよび第２のアセンブリを含み得る。第１のアセンブリは、第１の筐体および光ファイバ・アダプタを含み得る。第２のアセンブリは、第２の筐体、光スプリッタ、光ファイバ・コネクタ、および複数の光ファイバ・アダプタを含み得る。第１のアセンブリの光ファイバ・アダプタは、第１の筐体の外側に配置され得、第１の筐体には、光ケーブル入口および光ケーブル出口が設けられ得る。光スプリッタは、第２の筐体の内側に配置され得、第２のアセンブリの光ファイバ・コネクタおよび複数の光ファイバ・アダプタは、第２の筐体の外側に配置される。光ファイバ・コネクタの第１の端部は、第１のアセンブリの光ファイバ・アダプタに取り外し可能に接続され、光ファイバ・コネクタの第２の端部は、光スプリッタの入力ポートに接続され、光スプリッタの各出力ポートは、第２のアセンブリの１つの光ファイバ・アダプタに接続される。このようにして、ファイバ・アクセス・ターミナルが現在の世帯数に基づいて配置された後に、別のユーザがファイバ・ブロードバンドに加入するとき、職員は、以前に配置されたファイバ・アクセス・ターミナルの第２のアセンブリを、より多くの光ファイバ・アダプタを含む第２のアセンブリと交換し得、職員は、第１のアセンブリを取り外す必要がなく、このため、作業効率が向上し得る。
【図面の簡単な説明】
【００２３】
【図１】本発明の一実施形態によるファイバ・アクセス・ターミナルの概略構成図である。
【図２】本発明の一実施形態による光ファイバ・アダプタおよび光ファイバ・コネクタの概略図である。
【図３】本発明の一実施形態によるファイバ・アクセス・ターミナルの概略構成図である。
【図４】本発明の一実施形態による第２のアセンブリの概略構成図である。
【図５】本発明の一実施形態によるファイバ・アクセス・ターミナルの概略構成図である。
【図６】本発明の一実施形態によるファイバ・アクセス・ターミナルの概略構成図である。
【図７】本発明の一実施形態による第１のアセンブリの概略構成図である。
【図８】本発明の一実施形態によるファイバ・アクセス・ターミナルの概略構成図である。
【発明を実施するための形態】
【００２４】
図１は、本発明の一実施形態によるファイバ・アクセス・ターミナルを示す。図１を参照すると、ファイバ・アクセス・ターミナルは、第１のアセンブリ１および第２のアセンブリ２を含む。第１のアセンブリ１は、第１の筐体１１および光ファイバ・アダプタ１２を含む。第２のアセンブリ２は、第２の筐体２１、光スプリッタ２２、光ファイバ・コネクタ２３、および複数の光ファイバ・アダプタ２４を含む。第１のアセンブリ１の光ファイバ・アダプタ１２は、第１の筐体１１の外側に配置され、第１の筐体１１には、光ケーブル入口１１１および光ケーブル出口１１２が設けられる。光スプリッタ２２は、第２の筐体２１の内側に配置され、第２のアセンブリ２の光ファイバ・コネクタ２３および複数の光ファイバ・アダプタ２４は、第２の筐体２１の外側に配置される。光ファイバ・コネクタ２３の第１の端部は、第１のアセンブリ１の光ファイバ・アダプタ１２に取り外し可能に接続され、光ファイバ・コネクタ２３の第２の端部は、光スプリッタ２２の入力ポートに接続され、光スプリッタ２２の各出力ポートは、第２のアセンブリ２の１つの光ファイバ・アダプタ２４に接続される。
【００２５】
実施時、ファイバ・アクセス・ターミナルは、第１のアセンブリ１および第２のアセンブリ２を含んでもよい。第１のアセンブリ１は、独立して動作してもよく、または第２のアセンブリ２と共に動作してもよい。第１のアセンブリ１は、第１の筐体１１および光ファイバ・アダプタ１２を含み得、その場合、光ファイバ・アダプタ１２は、第１の筐体１１の外側に配置され得る。第１の筐体１１には、光ケーブル入口１１１および光ケーブル出口１１２がさらに設けられ得る。第１のアセンブリ１が使用できるようにされるとき、光ケーブルは、光ケーブル入口１１１を通って第１の筐体１１に入れられてもよく、光ケーブル出口１１２を通って第１の筐体１１から外に案内されてもよい。第１の筐体１１の材料はプラスチックであってもよい。
【００２６】
第１のアセンブリ１は、光ファイバ接合部品と、予め製造された光ファイバ・コネクタを有するピグテールとをさらに含んでもよい。光ファイバ接合部品は、光ケーブルを収容して光ファイバを保護する機能を実施し得る。光ファイバ接合部品と予め製造された光ファイバ・コネクタを有するピグテールとは、第１の筐体１１の内側に配置され、ピグテールの他端は、予め製造された光ファイバ・コネクタを使用して光ファイバ・アダプタ１２の一端に接続される。第１のアセンブリ１が使用できるようにされるとき、職員は、光ケーブル入口１１１に入る光ケーブルの１つの光ファイバとピグテールとを接合し得る。ユーザが、ファイバ・ブロードバンドに加入しようとするとき、予め製造された光ファイバ・コネクタを有する光ファイバ（この光ファイバはドロップファイバと呼ばれる場合がある）が、屋内に案内されるように、光ファイバ・コネクタを使用して光ファイバ・アダプタ１２の他端に接続され得る。言い換えれば、第１のアセンブリ１が使用できるようにされるとき、光ファイバ・アダプタ１２の一端は、第１の筐体１１の内側に配置された、ピグテールの予め製造された光ファイバ・コネクタに接続され得、他端は、光ファイバ・コネクタを使用してドロップファイバに接続され得る。
【００２７】
第２のアセンブリ２は、第２の筐体２１、光スプリッタ２２、光ファイバ・コネクタ２３、および複数の光ファイバ・アダプタ２４を含んでもよい。光スプリッタ２２は、第２の筐体２１の内側に配置され得る。第２のアセンブリ２の光ファイバ・コネクタ２３および複数の光ファイバ・アダプタ２４は、第２の筐体２１の外側に配置され得る。光ファイバ・コネクタ２３の第２の端部は、光スプリッタ２２の入力ポートに接続される（その場合、光ファイバ・コネクタ２３の第２の端部は、光ファイバを使用して光スプリッタ２２の入力ポートに接続される）。光スプリッタ２２の各出力ポートは、第２のアセンブリ２の１つの光ファイバ・アダプタ２４に接続される（その場合、光スプリッタ２２の各出力ポートは、予め製造された光ファイバ・コネクタを有する光ファイバに接続されてもよく、具体的には、光スプリッタ２２の各出力ポートは、出力ポートの光ファイバ・コネクタを使用して第２のアセンブリ２の１つの光ファイバ・アダプタ２４に接続されてもよい）。第２のアセンブリ２は、第１のアセンブリ１と共に動作し得る。第２のアセンブリ２が第１のアセンブリ１と共に動作するとき、第２のアセンブリ２の光ファイバ・コネクタ２３の第１の端部は、第１のアセンブリ１の光ファイバ・アダプタ１２に取り外し可能に接続され得る。各光ファイバ・アダプタ２４は、１つのドロップファイバに接続され得る。光ファイバ・アダプタ１２および光ファイバ・コネクタ２３の例が、図２に示されている。第２のアセンブリ２が、複数の光ファイバ・アダプタ２４を含むため、ファイバ・アクセス・ターミナルの容量は、第２のアセンブリ２を異なる数の光ファイバ・アダプタ１２を含む第２のアセンブリ２と交換する（すなわち、ファイバ・アクセス・ターミナルの光ファイバ・アダプタの数を変更する）ことによって変更され得る。このようにして、FATが現在の世帯数に基づいて配置された後に、別のユーザがファイバ・ブロードバンドに加入するとき、職員は、FATの光ファイバ・アダプタの数を増やすために元の第２のアセンブリを、より多くの光ファイバ・アダプタを含む第２のアセンブリと交換し得る。職員は、第１のアセンブリを取り外し、現在の世帯数に一致する数の光ファイバ・アダプタを有するFATを再配置する必要がなく、このため、作業効率が向上し得る。
【００２８】
さらに、第１の筐体１１は斜面を有してもよい。これに対応して、第２の筐体２１は、第１の筐体１１の斜面に一致する斜面を有してもよい。互いに接続された第１のアセンブリ１および第２のアセンブリ２が、図３に示されている。
【００２９】
任意選択で、第２のアセンブリは、複数の防塵キャップ２５をさらに含んでもよい。図４に示されているように、防塵キャップ２５の数は、光ファイバ・アダプタ２４の数と一致し得る。複数の防塵キャップ２５のそれぞれは、第２のアセンブリ２の１つの光ファイバ・アダプタ２４上に配置され得る。このようにして、光ファイバ・アダプタが使用されないとき、光ファイバ・アダプタは、汚れから保護され得る。
【００３０】
任意選択で、図５に示されているように、第１の筐体１１に案内溝１１３が設けられてもよく、第２の筐体２１に突起２１１が設けられ、案内溝１１３は突起２１１に係合される。
【００３１】
実施時、職員が第２のアセンブリ２の光ファイバ・コネクタ２３と第１のアセンブリ１の光ファイバ・アダプタ１２とを接続するのを助けるために、第１の筐体１１に案内溝１１３が設けられてもよく、第２の筐体２１に突起が設けられる。このようにして、案内溝１１３は突起２１１に係合されてもよく、事前位置合わせが行われる。これは、職員が光ファイバ・コネクタ２３と光ファイバ・アダプタ１２とをより正確かつ迅速に接続することを可能にし得る。
【００３２】
任意選択で、第１のアセンブリ１は、第１の結合部品１３をさらに含み、第１の筐体は、上部筐体１１４および下部筐体１１５を含む。上部筐体１１４および下部筐体１１５は、第１の結合部品１３を使用して結合されてもよい。
【００３３】
実施時、第１のアセンブリ１の第１の筐体は、第１の結合部品１３を使用して上部筐体１１４および下部筐体１１５を結合することによって形成され得、第１のアセンブリ１の側面図が、図６に示されている。
【００３４】
任意選択で、第１の結合部品１３は、複数のねじ１３１を含んでもよく、上部筐体１１４および下部筐体１１５は、複数のねじ１３１を使用して結合されてもよい。
【００３５】
実施時、第１の結合部品１３は、複数のねじ１３１を含んでもよく、例えば、４つのねじ１３１を含んでもよい。図７に示されているように、上部筐体１１４および下部筐体１１５にはそれぞれ、複数のねじ１３１に対応するねじ山が設けられてもよい。このようにして、上部筐体１１４および下部筐体１１５は、ねじ１３１と、ねじ１３１に対応するねじ山とを使用して結合され得る。ファイバ・アクセス・ターミナルが使用できるようにされるとき、職員が第１の筐体１１を開き、次に光ケーブルの１つの光ファイバとピグテールとを接合することが好適である。さらに、第１の筐体１１が斜面を有し、第２の筐体２１が、第１の筐体１１の斜面と一致する斜面を有するとき、貫通孔が、第１の筐体１１の底部に配置される２つのねじに対応する、第２の筐体２１の位置に配置されてもよい。
【００３６】
さらに、第２の筐体２１も、上部筐体および下部筐体を含む。第２の筐体２１の上部筐体および下部筐体は、第１の筐体１１の結合方法と同じ方法で結合されてもよく、または超音波溶接によって結合されてもよい。
【００３７】
任意選択で、ファイバ・アクセス・ターミナルは、第２の結合部品３をさらに含み、第１のアセンブリ１および第２のアセンブリ２は、第２の結合部品を使用して結合される。
【００３８】
任意選択で、図８に示されているように、第２の結合部品３は、複数のねじ３１を含み、第１のアセンブリ１および第２のアセンブリ２は、複数のねじ３１を使用して結合される。
【００３９】
実施時、第２の結合部品は、複数のねじ３１を含んでもよく、例えば、２つのねじを含んでもよい。第１の筐体１１および第２の筐体２１には、ねじ３１に対応するねじ山が設けられてもよい。図８に示されているように、第１のアセンブリ１および第２のアセンブリは、ねじと、ねじ３１に対応するねじ山とを使用して結合されてもよい。
【００４０】
任意選択で、第１のアセンブリ１の１つ以上の光ファイバ・アダプタ１２がある。光ファイバ・コネクタ２３の数および光スプリッタ２２の数は、第１のアセンブリ１の光ファイバ・アダプタ１２の数と一致する。各光ファイバ・コネクタ２３の第１の端部は、第１のアセンブリ１の１つの光ファイバ・アダプタ１２に取り外し可能に接続され、各光ファイバ・コネクタ２３の第２の端部は、１つの光スプリッタ２２の入力ポートに接続される。
【００４１】
実施時、第１のアセンブリ１は、１つの光ファイバ・アダプタを含んでもよく、または複数の光ファイバ・アダプタを含んでもよい（例えば、２つの光ファイバ・アダプタがあってもよい）。これに対応して、光ファイバ・コネクタ２３の数および光スプリッタ２２の数は、第１のアセンブリ１の光ファイバ・アダプタ１２の数と一致する。具体的には、第１のアセンブリが１つの光ファイバ・アダプタを含むとき、第２のアセンブリは、１つの光ファイバ・コネクタおよび１つの光スプリッタを含んでもよく、第１のアセンブリ１が複数の光ファイバ・アダプタを含むとき、第２のアセンブリは、複数の光ファイバ・コネクタおよび複数の光スプリッタを含んでもよい。各光ファイバ・コネクタ２３の第１の端部は、第１のアセンブリの１つの光ファイバ・アダプタ１２に取り外し可能に接続され、各光ファイバ・コネクタ２３の第２の端部は、１つの光スプリッタ２２の入力ポートに接続される。
【００４２】
任意選択で、第１のアセンブリ１の光ファイバ・アダプタ１２および第２のアセンブリ２の複数の光ファイバ・アダプタ２４は、屋外の光ファイバ・アダプタであってもよい。
【００４３】
任意選択で、第１のアセンブリ１の光ファイバ・アダプタ１２は、第１の筐体１１の底部に配置されてもよい。光ファイバ・コネクタ２３は、第２の筐体２１の上部に配置されてもよく、第２のアセンブリ２の複数の光ファイバ・アダプタ２４は、第２の筐体２１の底部に配置されてもよい。
【００４４】
このようにして、使用できるようにされた後、ファイバ・アクセス・ターミナルは、より良好な耐水性のものになり得、その結果、ファイバ・アクセス・ターミナルの耐用時間が延長され得る。
【００４５】
本発明の実施形態では、ファイバ・アクセス・ターミナルは、第１のアセンブリおよび第２のアセンブリを含み得る。第１のアセンブリは、第１の筐体および光ファイバ・アダプタを含み得る。第２のアセンブリは、第２の筐体、光スプリッタ、光ファイバ・コネクタ、および複数の光ファイバ・アダプタを含み得る。第１のアセンブリの光ファイバ・アダプタは、第１の筐体の外側に配置され得、第１の筐体には、光ケーブル入口および光ケーブル出口が設けられ得る。光スプリッタは、第２の筐体の内側に配置され得、第２のアセンブリの光ファイバ・コネクタおよび複数の光ファイバ・アダプタは、第２の筐体の外側に配置される。光ファイバ・コネクタの第１の端部は、第１のアセンブリの光ファイバ・アダプタに取り外し可能に接続され、光ファイバ・コネクタの第２の端部は、光スプリッタの入力ポートに接続され、光スプリッタの各出力ポートは、第２のアセンブリの１つの光ファイバ・アダプタに接続される。このようにして、ファイバ・アクセス・ターミナルが現在の世帯数に基づいて配置された後に、別のユーザがファイバ・ブロードバンドに加入するとき、職員は、以前に配置されたファイバ・アクセス・ターミナルの第２のアセンブリを、より多くの光ファイバ・アダプタを含む第２のアセンブリと交換し得、職員は、第１のアセンブリを取り外す必要がなく、このため、作業効率が向上し得る。
【００４６】
当業者は、実施形態のステップの全部または一部が、ハードウェア、または関連するハードウェアに命令するプログラムによって実施され得ることを理解するであろう。プログラムは、コンピュータ可読記憶媒体に記憶され得る。記憶媒体は、読み出し専用メモリ、磁気ディスク、または光ディスクを含み得る。
【００４７】
前述の説明は、本発明の一実施形態に過ぎず、本出願を限定することを意図するものではない。本出願の精神および原理から逸脱することなくなされるいかなる修正、同等の置換、または改善も、本出願の保護範囲内に含まれるものとする。
【符号の説明】
【００４８】
１  第１のアセンブリ
２  第２のアセンブリ
３  第２の結合部品
１１  第１の筐体
１２  第１のアセンブリの光ファイバ・アダプタ
１３  第１の結合部品
２１  第２の筐体
２２  光スプリッタ
２３  光ファイバ・コネクタ
２４  第２のアセンブリの光ファイバ・アダプタ
２５  防塵キャップ
３１  第２の結合部品のねじ
１１１  光ケーブル入口
１１２  光ケーブル出口
１１３  案内溝
１１４  上部筐体
１１５  下部筐体
１３１  第１の結合部品のねじ
２１１  突起
【図１】
0006910456.tif 000002
【図２】
0006910456.tif 000003
【図３】
0006910456.tif 000004
【図４】
0006910456.tif 000005
【図５】
0006910456.tif 000006
【図６】
0006910456.tif 000007
【図７】
0006910456.tif 000008
【図８】
0006910456.tif 000009